(57)【要約】      （修正有）【課題】複数回使用しても変形することがなく、非常に長い使用寿命を有するブラシ毛を備えるトイレブラシ、及びトイレブラシセットを提供する。【解決手段】トイレブラシは、ハンドル１０と、ハンドルに接続されるブラシヘッドとを含む。ブラシヘッドは、ブラシヘッド本体２１と、ブラシヘッド本体の表面に套設されるブラシヘッドカバー２２とを含む。ブラシヘッドカバーは、ブラシヘッドカバー本体と、ブラシヘッドカバー本体の外面に均一に分布される複数のブラシ毛とを含む。ブラシヘッドカバーは、ラテックスブラシヘッドカバー又はシリカゲルブラシヘッドカバーである。トイレブラシセットは、このトイレブラシと収容ボックス３０を含む。【選択図】図３
0003231290.tif 000002
【実用新案登録請求の範囲】
【請求項１】
ハンドルと、前記ハンドルに接続されるブラシヘッドとを含み、
前記ブラシヘッドは、ブラシヘッド本体と、前記ブラシヘッド本体の表面に套設されるブラシヘッドカバーとを含み、
前記ブラシヘッドカバーは、ブラシヘッドカバー本体と、前記ブラシヘッドカバー本体の外面に均一に分布される複数のブラシ毛とを含み、
前記ブラシヘッドカバーは、ラテックスブラシヘッドカバー又はシリカゲルブラシヘッドカバーである、
ことを特徴とするトイレブラシ。
【請求項２】
前記ブラシヘッド本体は、支持部を含み、
前記ブラシヘッドカバーは、前記支持部の表面に套設される、
ことを特徴とする請求項１に記載のトイレブラシ。
【請求項３】
前記ブラシヘッド本体は、一端が前記支持部に接続され、他端が前記ハンドルに接続されるブラシヘッドフレームをさらに含む、
ことを特徴とする請求項２に記載のトイレブラシ。
【請求項４】
前記ブラシ毛は、全体として円柱状構造を呈し、断面直径と長さとの比が１：４〜１：２の間にある、
ことを特徴とする請求項１に記載のトイレブラシ。
【請求項５】
前記ハンドルと前記ブラシヘッドとの間は、取り外し可能な接続方式で接続される、
ことを特徴とする請求項１に記載のトイレブラシ。
【請求項６】
前記ハンドルは、取り外し可能な接続方式で接続される第１ハンドル及び第２ハンドルを含む、
ことを特徴とする請求項１に記載のトイレブラシ。
【請求項７】
請求項１〜６のいずれか１項に記載のトイレブラシと、収容スペースを有する収容ボックスとを含み、
前記トイレブラシは、ハンドルと、前記ハンドルに接続されるブラシヘッドとを含み、前記ブラシヘッドは、前記収容ボックスの収容スペースに収容可能である、
ことを特徴とするトイレブラシセット。
【請求項８】
前記収容ボックスは、外筐体と、前記外筐体の底部に接続される底蓋と、前記外筐体から所定の距離だけ離間するように前記外筐体に収容され、水抜き孔を有する内胆とを含む、
ことを特徴とする請求項７に記載のトイレブラシセット。
【請求項９】
前記底蓋と前記外筐体との間には隙間が存在し、前記底蓋は側面に出水孔を有する、
ことを特徴とする請求項８に記載のトイレブラシセット。
【考案の詳細な説明】
【技術分野】
【０００１】
本考案は、トイレブラシの技術分野に関し、特に変形しにくいトイレブラシ及びトイレブラシセットに関するものである。
【背景技術】
【０００２】
従来のトイレブラシは、変形しやすいため、洗浄効果が悪く、使用寿命が短い。また、従来のトイレブラシは、細菌を繁殖しやすく、人々の健康に影響を与える。
【０００３】
そのため、使用寿命が長く細菌を繁殖しにくいトイレブラシを提供する必要がある。
【考案の概要】
【０００４】
本考案の目的は、上記背景技術で提起された問題を解決するために、トイレブラシ及びトイレブラシセットを提供することにある。
【０００５】
上記目的を実現するために、本考案によれば、ハンドルと、前記ハンドルに接続されるブラシヘッドとを含み、前記ブラシヘッドは、ブラシヘッド本体と、前記ブラシヘッド本体の表面に套設されるブラシヘッドカバーとを含み、前記ブラシヘッドカバーは、ブラシヘッドカバー本体と、前記ブラシヘッドカバー本体の外面に均一に分布される複数のブラシ毛とを含み、前記ブラシヘッドカバーは、ラテックスブラシヘッドカバー又はシリカゲルブラシヘッドカバーであるトイレブラシという技術的手段が提供される。
【０００６】
前記ブラシヘッド本体は、支持部を含み、前記ブラシヘッドカバーは、前記支持部の表面に套設されることができることが好ましい。
【０００７】
前記ブラシヘッド本体は、一端が前記支持部に接続され、他端が前記ハンドルに接続されるブラシヘッドフレームをさらに含むことが好ましい。
【０００８】
前記ブラシ毛は、全体として円柱状構造を呈し、断面直径と長さとの比が１：４〜１：２の間にあることが好ましい。
【０００９】
前記ハンドルと前記ブラシヘッドとの間は、取り外し可能な接続方式で接続されることが好ましい。
【００１０】
前記ハンドルは、取り外し可能な接続方式で接続される第１ハンドル及び第２ハンドルを含むことが好ましい。
【００１１】
上記のトイレブラシと、収容スペースを有する収容ボックスとを含み、前記トイレブラシは、ハンドルと、前記ハンドルに接続されるブラシヘッドとを含み、前記ブラシヘッドは、前記収容ボックスの収容スペースに収容可能であるトイレブラシセット。
【００１２】
前記収容ボックスは、外筐体と、前記外筐体の底部に接続される底蓋と、前記外筐体から所定の距離だけ離間するように前記外筐体に収容され、水抜き孔を有する内胆とを含むことが好ましい。
【００１３】
前記底蓋と前記外筐体との間には隙間が存在し、前記底蓋は側面に出水孔を有することが好ましい。
【考案の効果】
【００１４】
本考案によって提供されるトイレブラシセットのブラシヘッドは、外面にラテックス又はシリカゲルブラシヘッドカバーを有し、ブラシヘッドカバー表面のブラシ毛は、複数回使用しても変形しにくく、非常に長い使用寿命を有する。
【００１５】
前記ハンドルとブラシヘッドはしっかりと接続されており、両者は便利に取り外すことができる。また、前記第１ハンドルと前記第２ハンドルは、同様に便利に取り外し、接続することができるため、収納と輸送が便利になる。
【００１６】
前記ブラシヘッドは、内部に支持部を有するため、構造強度を高め、一定の外力を加えて使用するのに便利であり、洗浄効果を高めることができる。前記収容ボックスは、内部と外部が連通しており、内部の水分を素早く排出することができるため、前記ブラシヘッドを乾燥状態に保ち、細菌の繁殖を防ぐことができる。
【図面の簡単な説明】
【００１７】
【図１】本考案によって提供されるトイレブラシセットの構造を示す概略図である。
【図２】図１に示すトイレブラシセットの別の状態の構造を示す概略図である。
【図３】図１に示すトイレブラシセットの分解構造を示す概略図である。
【図４】図２に示すトイレブラシセットのＡ部拡大図である。
【考案を実施するための形態】
【００１８】
以下では、本考案の実施例における図面を参照しながら本考案の実施例における技術的手段について明確かつ完全に説明する。明らかに、説明された実施例は、本考案の実施例の一部に過ぎず、すべての実施例ではない。本考案の実施例に基づいて、創造的な努力なしに当業者によって得られる他のすべての実施例は、いずれも本考案の保護範囲に属する。
【００１９】
図１から図４を同時に参照して、図１は本考案によって提供されるトイレブラシセットの構造を示す概略図である。図２は図１に示すトイレブラシセットの別の状態の構造を示す概略図である。図３は図１に示すトイレブラシセットの分解構造を示す概略図である。図４は図２に示すトイレブラシセットのＡ部拡大図である。
【００２０】
前記トイレブラシセット１００は、ハンドル１０、ブラシヘッド２０及び収容ボックス３０を含む。前記ハンドル１０と前記ブラシヘッド２０は接続されてトイレブラシ１０１に組み合わせられる。前記ハンドル１０は、前記ブラシヘッド２０に接続される。前記ブラシヘッド２０は、前記収容ボックス３０に収容することができる。
【００２１】
前記ハンドル１０は、第１ハンドル１１及び第２ハンドル１２を含む。前記第１ハンドル１１と前記第２ハンドル１２とは、取り外し可能な接続方式で接続される。本実施形態において、前記第１ハンドル１１と前記第２ハンドル１２とは、ネジで接続される。なお、他の実施形態において、前記第１ハンドル１１と前記第２ハンドル１２とは、バックル、補助接続具などを介して接続することができるが、本考案はこれを限定しない。前記ハンドル１０の第１ハンドル１１及び第２ハンドル１２は、取り外し可能な構造であり、梱包及び輸送が便利であると同時に、収納も便利である。
【００２２】
前記ブラシヘッド２０は、前記ハンドル１０に接続される。本実施形態において、前記ブラシヘッド２０は、同様にネジによって前記ハンドル１０に接続される。前記ブラシヘッド２０は、ブラシヘッド本体２１及びブラシヘッドカバー２２を含む。前記ブラシヘッドカバー２２は、前記ブラシヘッド本体２１の表面に套設される。
【００２３】
前記ブラシヘッド本体２１は、ブラシヘッドフレーム２１１及び支持部２１２を含む。前記支持部２１２は、前記ブラシヘッドフレーム２１１に接続される。
【００２４】
前記ブラシヘッドフレーム２１１は、一端が前記第１ハンドル１１に合わせて接続され、他端が前記支持部２１２に接続される。具体的には、前記ブラシヘッドフレーム２１１は、ネジによって前記第１ハンドル１１に合わせて接続され、底面が前記支持部２１２に接続される。
【００２５】
前記支持部２１２は、一端が前記ブラシヘッドフレーム２１１に接続され、他端が自由端である。前記支持部２１２は、複数のストライプ状補強部２１２１を含む。前記ストライプ状補強部２１２１は、長いストライプ構造をなし、その長さ及び形状は、実際の必要に応じて調整することができる。前記ストライプ状補強部２１２１は、金属又はプラスチック材料であってよく、一定の支持強度及び靭性を有する。換言すれば、前記支持部２１２は、外力が加わる場合に一定の範囲で揺動することができる。
【００２６】
図４を再び参照して、前記ブラシヘッドカバー２２は、前記支持部２１２に套設され、前記ブラシヘッドフレーム２１１の底面に当接する。前記ブラシヘッドカバー２２は、ラテックス又はシリカゲル材料であるため、優れた形状復元力を有する。具体的には、前記ブラシヘッドカバー２２は、前記支持部２１２の外面に套設される。また、ブラシヘッドカバー２２と前記支持部２１２とは、前記ブラシヘッドカバー２２が前記支持部２１２にしっかりと接続できるように接着により補助固定することができる。
【００２７】
前記ブラシヘッドカバー２２は、ブラシヘッドカバー本体２２１及びブラシ毛２２２を含む。前記ブラシ毛２２２の個数は複数である。複数の前記ブラシ毛２２２は、前記ブラシヘッドカバー２２１に接続される。前記ブラシヘッドカバー本体２２１と前記ブラシ毛２２２とは、一体成形構造である。
【００２８】
前記ブラシヘッド２０が正常な状態にある場合、前記ブラシ毛２２２は、前記ブラシヘッドカバー２２１との接続部が位置する平面と垂直に設けられる。換言すれば、本実施形態において、前記ブラシ毛２２２は、前記ブラシヘッドカバー２２１との接続部における接平面と垂直状態又は垂直に近い状態にある。また、複数の前記ブラシ毛２２２は、前記ブラシヘッドカバー本体２２１の外面に均一に分布される。前記ブラシ毛２２２は、全体として円柱状構造を呈し、断面直径と長さとの比が１：４〜１：２の間にある。前記ブラシ毛２２２は、断面直径と長さとの比が１：３であることが好ましい。
【００２９】
前記収容ボックス３０は、外筐体３１と、底蓋３２及び内胆３３を含む。前記外筐体３１は、底面が前記底蓋３２に接続され、両者が組み合わされて収容スペースを形成する。前記内胆３３は、前記収容スペースに収容される。前記収容ボックス３０は、前記ブラシ１０１を配置するために使用される。
【００３０】
また、前記外筐体３１は、頂部が開口するように設けられ、底部が前記底蓋３２に接続される。本実施形態において、前記外筐体３０の断面は、四角形に類似する構造を呈し、前記ブラシヘッド２０の断面の形状に合わせて設けられる。
【００３１】
前記底蓋３２は、前記外筐体３１の底面に接続される。具体的には、前記底蓋３２と前記外筐体３１との間は空隙を有する。前記底蓋３２は、側面に出水孔３２１を有する。ブラシヘッド２０から前記底蓋３２内に水が流れる場合、前記出水孔３２１は、前記底蓋３２内のたまり水を排除することができる。
【００３２】
前記内胆３３は、前記収容スペースに収容され、前記外筐体３１に合わせて接続される。前記内胆３３と前記外筐体３１との間には、隙間が存在し、両者は所定の距離だけ離間する。前記内胆３３は、側壁に複数の水抜き孔３３１を有し、ブラシヘッド２０に水がある場合、前記水抜き孔３３１を介して流出することができる。前記水抜き孔３３１の形状は、必要に応じて設定することができるが、本考案はこれを限定しない。
【００３３】
本考案によって提供されるトイレブラシセット１００のブラシヘッド２０は、外面にラテックス又はシリカゲルブラシヘッドカバー２２を有し、ブラシヘッドカバー２２表面のブラシ毛２２２は、複数回使用しても変形しにくく、非常に長い使用寿命を有する。
【００３４】
前記ハンドル１０とブラシヘッド２０はしっかりと接続されており、両者は便利に取り外すことができる。また、前記第１ハンドル１１と前記第２ハンドル１２は、同様に便利に取り外し、接続することができるため、収納と輸送が便利になる。
【００３５】
前記ブラシヘッド２０は、内部に支持部２１２を有するため、構造強度を高め、一定の外力を加えて使用するのに便利であり、洗浄効果を高めることができる。前記収容ボックス３０は、内部と外部が連通しており、内部の水分を素早く排出することができるため、前記ブラシヘッド２０を乾燥状態に保ち、細菌の繁殖を防ぐことができる。
【００３６】
本考案の具体的な実施形態は、当業者が本考案を理解又は実現することを可能にする。これらの実施例に対する様々な修正は、当業者には明らかである。本明細書で定義される一般原理は、本考案の精神又は範囲から逸脱することなく、他の実施例で実現することができる。したがって、本考案は、本明細書に示されるこれらの実施形態に限定されず、本明細書に開示される原理及び新規の特徴と一致する最も広い範囲に適合すべきである。
【図１】
0003231290.tif 000003
【図２】
0003231290.tif 000004
【図３】
0003231290.tif 000005
【図４】
0003231290.tif 000006